【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
ユーザにより設計された、製造しようとする製品の形状を示すＣＡＤデータを生成する製品形状ＣＡＤデータ生成手段と、
ＣＡＤを利用して、前記製品形状を略反転させた金型形状を示すＣＡＤデータを生成する金型形状ＣＡＤデータ生成手段と、
前記金型形状ＣＡＤデータに基づいて製造された金型の形状を測定する金型形状測定手段と、
前記製造された金型を用いて製造された製品の形状を測定する製品形状測定手段と、
前記金型形状ＣＡＤデータから前記金型形状測定手段により測定された金型形状測定値を差し引いて第一の差分値を求め、前記製品形状測定手段により測定された製品形状測定値から前記製品形状ＣＡＤデータを差し引いて第二の差分値を求め、前記第一の差分値から前記第二の差分値を差し引いて第三の差分値を求め、当該第三の差分値を前記製品形状ＣＡＤデータに加えて当該製品形状ＣＡＤデータを補正する製品形状ＣＡＤデータ補正手段と、
前記製品形状ＣＡＤデータ補正手段により補正された後の製品形状ＣＡＤデータを反転させて、修正金型形状ＣＡＤデータを生成する修正金型形状ＣＡＤデータ生成手段と、
を備えることを特徴とする金型データ修正システム。
【請求項２】
ユーザにより設計された、製造しようとする製品の形状を示すＣＡＤデータを生成する製品形状ＣＡＤデータ生成手段と、
ＣＡＤを利用して、前記製品形状を略反転させた、複数の金型部品形状の集合である金型形状を示すＣＡＤデータを生成する金型形状ＣＡＤデータ生成手段と、
前記製品形状ＣＡＤデータ中に含まれる複数の所定データの各々と、当該複数の所定データの各々に対応する、前記複数の金型部品中の特定の金型部品中の所定データとを関連付けて記憶する所定データ関連付け記憶手段と、
前記金型形状ＣＡＤデータに基づいて製造された金型の形状を測定する金型形状測定手段と、
前記製造された金型を用いて製造された製品の形状を測定する製品形状測定手段と、
前記金型形状ＣＡＤデータから前記金型形状測定手段により測定された金型形状測定値を差し引いて第一の差分値を求め、前記製品形状測定手段により測定された製品形状測定値から前記製品形状ＣＡＤデータを差し引いて第二の差分値を求め、前記第一の差分値から前記第二の差分値を差し引いて第三の差分値を求め、当該第三の差分値を前記製品形状ＣＡＤデータに加えて当該製品形状ＣＡＤデータを補正する製品形状ＣＡＤデータ補正手段と、
前記所定データ関連付け記憶手段を参照して、前記製品形状ＣＡＤデータ補正手段により補正された後の製品形状ＣＡＤデータの所定データに対応した、前記複数の金型部品中の特定の金型部品中の所定データを算出する、金型形状ＣＡＤ所定データ算出手段と、
前記金型形状ＣＡＤ所定データ算出手段によって得られた、前記複数の金型部品ごとの金型形状ＣＡＤ所定データのプロフィールに基づいて、前記複数の金型部品の各々について修正金型形状ＣＡＤデータを生成する修正金型形状ＣＡＤデータ生成手段と、
を備えることを特徴とする金型データ修正システム。
【請求項３】
前記所定データは、点データ、線データ、または面データである、
ことを特徴とする請求項２記載の金型データ修正システム。
【請求項４】
ユーザにより設計された、製造しようとする製品の形状を示す製品形状ＣＡＤデータを生成する製品形状ＣＡＤデータ生成手段と、
ＣＡＤを利用して、前記製品形状を略反転させた金型形状を示すＣＡＤデータを生成する金型形状ＣＡＤデータ生成手段と、
前記金型形状ＣＡＤデータに基づいて製造された金型の形状のうち、所定の金型形状部分の形状を測定する金型形状測定手段と、
前記製造された金型を用いて製造された製品の形状のうち、所定の製品形状部分の形状を測定する製品形状測定手段と、
前記金型形状ＣＡＤデータうち前記所定の金型形状部分に対応した部分のデータから前記金型形状測定手段により測定された金型形状測定値を差し引いて第一の差分値を求め、前記製品形状測定手段により測定された製品形状測定値から前記製品形状ＣＡＤデータのうち前記所定の製品形状部分に対応した部分のデータを差し引いて第二の差分値を求め、前記第一の差分値から前記第二の差分値を差し引いて第三の差分値を求め、当該第三の差分値を前記製品形状ＣＡＤデータに加えて当該製品形状ＣＡＤデータを補正する製品形状ＣＡＤデータ補正手段と、
前記製品形状ＣＡＤデータ補正手段により補正された後の製品形状ＣＡＤデータのうち前記所定の製品形状部分に対応した部分のデータを反転させて、前記金型形状ＣＡＤデータのうち前記所定の金型形状部分に対応した部分のデータを生成する修正金型形状ＣＡＤデータ生成手段と、
を備えることを特徴とする金型データ修正システム。
【請求項５】
ユーザにより設計された、製造しようとする製品の形状を示す製品形状ＣＡＤデータを生成する製品形状ＣＡＤデータ生成手段と、
ＣＡＤを利用して、前記製品形状を略反転させた、複数の金型部品形状の集合である金型形状を示すＣＡＤデータを生成する金型形状ＣＡＤデータ生成手段と、
前記製品形状ＣＡＤデータ中に含まれる複数の所定データの各々と、当該複数の所定データの各々に対応する、前記複数の金型部品中の特定の金型部品中の所定データとを関連付けて記憶する所定データ関連付け記憶手段と、
前記金型形状ＣＡＤデータに基づいて製造された金型の形状のうち、所定の金型形状部分の形状を測定する金型形状測定手段と、
前記製造された金型を用いて製造された製品の形状のうち、所定の製品形状部分の形状を測定する製品形状測定手段と、
前記金型形状ＣＡＤデータうち前記所定の金型形状部分に対応した部分のデータから前記金型形状測定手段により測定された金型形状測定値を差し引いて第一の差分値を求め、前記製品形状測定手段により測定された製品形状測定値から前記製品形状ＣＡＤデータのうち前記所定の製品形状部分に対応した部分のデータを差し引いて第二の差分値を求め、前記第一の差分値から前記第二の差分値を差し引いて第三の差分値を求め、当該第三の差分値を前記製品形状ＣＡＤデータに加えて当該製品形状ＣＡＤデータを補正する製品形状ＣＡＤデータ補正手段と、
前記所定データ関連付け記憶手段を参照して、前記製品形状ＣＡＤデータ補正手段により補正された後の製品形状ＣＡＤデータのうち前記所定の製品形状部分に対応した部分のデータの所定データに対応した、前記複数の金型部品中の特定の金型部品中の所定データを算出する、金型形状ＣＡＤ所定データ算出手段と、
前記金型形状ＣＡＤ所定データ算出手段によって得られた、前記複数の金型部品ごとの金型形状ＣＡＤ所定データのプロフィールに基づいて、前記複数の金型部品の各々について前記所定の金型形状部分に対応した部分のデータを生成する修正金型形状ＣＡＤデータ生成手段と、
を備えることを特徴とする金型データ修正システム。
【請求項６】
前記所定データは、点データ、線データ、または面データである、
ことを特徴とする請求項５記載の金型データ修正システム。
【請求項７】
前記所定の金型形状部分は、前記金型形状ＣＡＤデータに含まれる複数の点データ、線データ、または面データによって定義される、
ことを特徴とする請求項４乃至６のいずれか一項記載の金型データ修正システム。
【請求項８】
前記所定の製品形状部分は、前記製品形状ＣＡＤデータに含まれる複数の点データ、線データ、または面データによって定義される、
ことを特徴とする請求項４乃至７のいずれか一項記載の金型データ修正システム。
【請求項９】
前記製品形状ＣＡＤデータ生成手段は、前記製品形状ＣＡＤデータに補正代を付加する補正代付加手段を有する、
ことを特徴とする請求項１乃至８のいずれか一項記載の金型データ修正システム。
【請求項１０】
前記製品形状ＣＡＤデータ生成手段は、前記製品形状ＣＡＤデータに、金型に注入される樹脂の種類に応じた収縮率を付加する収縮率付加手段を有する、
ことを特徴とする請求項１乃至９のいずれか一項記載の金型データ修正システム。
【請求項１１】
トライ用製品の形状を示すトライ用製品ＣＡＤデータに基づいてＮＣ計算を行うＮＣ計算手段と、
請求項１乃至１０のいずれか一項記載の金型データ修正システムを利用して、前記製品形状ＣＡＤデータ補正手段により補正された後の製品形状ＣＡＤデータと、前記トライ用製品ＣＡＤデータとの差分に基づいて、当該補正された後の製品形状ＣＡＤデータに対応したＮＣ計算を行う修正ＮＣ計算手段と、
を備えることを特徴とするＮＣ計算システム。
【請求項１２】
コンピュータによって実行されたときに、当該コンピュータを、
ユーザにより設計された、製造しようとする製品の形状を示すＣＡＤデータを生成する製品形状ＣＡＤデータ生成手段、
ＣＡＤを利用して、前記製品形状を略反転させた金型形状を示すＣＡＤデータを生成する金型形状ＣＡＤデータ生成手段、
所定の測定装置に、前記金型形状ＣＡＤデータに基づいて製造された金型の形状を測定させる金型形状測定手段、
所定の測定装置に、前記製造された金型を用いて製造された製品の形状を測定させる製品形状測定手段、
前記金型形状ＣＡＤデータから前記金型形状測定手段を通じて測定された金型形状測定値を差し引いて第一の差分値を求め、前記製品形状測定手段を通じて測定された製品形状測定値から前記製品形状ＣＡＤデータを差し引いて第二の差分値を求め、前記第一の差分値から前記第二の差分値を差し引いて第三の差分値を求め、当該第三の差分値を前記製品形状ＣＡＤデータに加えて当該製品形状ＣＡＤデータを補正する製品形状ＣＡＤデータ補正手段、及び、
前記製品形状ＣＡＤデータ補正手段により補正された後の製品形状ＣＡＤデータを反転させて、修正金型形状ＣＡＤデータを生成する修正金型形状ＣＡＤデータ生成手段、
として機能させることを特徴とするコンピュータプログラム。
【請求項１３】
コンピュータによって実行されたときに、当該コンピュータを、
ユーザにより設計された、製造しようとする製品の形状を示すＣＡＤデータを生成する製品形状ＣＡＤデータ生成手段、
ＣＡＤを利用して、前記製品形状を略反転させた、複数の金型部品形状の集合である金型形状を示すＣＡＤデータを生成する金型形状ＣＡＤデータ生成手段、
前記製品形状ＣＡＤデータ中に含まれる複数の所定データの各々と、当該複数の所定データの各々に対応する、前記複数の金型部品中の特定の金型部品中の所定データとを関連付けて記憶する所定データ関連付け記憶手段、
所定の測定装置に、前記金型形状ＣＡＤデータに基づいて製造された金型の形状を測定させる金型形状測定手段、
所定の測定装置に、前記製造された金型を用いて製造された製品の形状を測定させる製品形状測定手段、
前記金型形状ＣＡＤデータから前記金型形状測定手段を通じて測定された金型形状測定値を差し引いて第一の差分値を求め、前記製品形状測定手段を通じて測定された製品形状測定値から前記製品形状ＣＡＤデータを差し引いて第二の差分値を求め、前記第一の差分値から前記第二の差分値を差し引いて第三の差分値を求め、当該第三の差分値を前記製品形状ＣＡＤデータに加えて当該製品形状ＣＡＤデータを補正する製品形状ＣＡＤデータ補正手段、
前記所定データ関連付け記憶手段を参照して、前記製品形状ＣＡＤデータ補正手段により補正された後の製品形状ＣＡＤデータの所定データに対応した、前記複数の金型部品中の特定の金型部品中の所定データを算出する、金型形状ＣＡＤ所定データ算出手段、及び、
前記金型形状ＣＡＤ所定データ算出手段によって得られた、前記複数の金型部品ごとの金型形状ＣＡＤ所定データのプロフィールに基づいて、前記複数の金型部品の各々について修正金型形状ＣＡＤデータを生成する修正金型形状ＣＡＤデータ生成手段、
として機能させることを特徴とするコンピュータプログラム。
【請求項１４】
前記所定データは、点データ、線データ、または面データである、
ことを特徴とする請求項１３記載のコンピュータプログラム。
【請求項１５】
コンピュータによって実行されたときに、当該コンピュータを、
ユーザにより設計された、製造しようとする製品の形状を示す製品形状ＣＡＤデータを生成する製品形状ＣＡＤデータ生成手段、
ＣＡＤを利用して、前記製品形状を略反転させた金型形状を示すＣＡＤデータを生成する金型形状ＣＡＤデータ生成手段、
所定の測定装置に、前記金型形状ＣＡＤデータに基づいて製造された金型の形状のうち、所定の金型形状部分の形状を測定させる金型形状測定手段、
所定の測定装置に、前記製造された金型を用いて製造された製品の形状のうち、所定の製品形状部分の形状を測定させる製品形状測定手段、
前記金型形状ＣＡＤデータうち前記所定の金型形状部分に対応した部分のデータから前記金型形状測定手段を通じて測定された金型形状測定値を差し引いて第一の差分値を求め、前記製品形状測定手段を通じて測定された製品形状測定値から前記製品形状ＣＡＤデータのうち前記所定の製品形状部分に対応した部分のデータを差し引いて第二の差分値を求め、前記第一の差分値から前記第二の差分値を差し引いて第三の差分値を求め、当該第三の差分値を前記製品形状ＣＡＤデータに加えて当該製品形状ＣＡＤデータを補正する製品形状ＣＡＤデータ補正手段、及び、
前記製品形状ＣＡＤデータ補正手段により補正された後の製品形状ＣＡＤデータのうち前記所定の製品形状部分に対応した部分のデータを反転させて、前記金型形状ＣＡＤデータのうち前記所定の金型形状部分に対応した部分のデータを生成する修正金型形状ＣＡＤデータ生成手段、
として機能させることを特徴とするコンピュータプログラム。
【請求項１６】
コンピュータによって実行されたときに、当該コンピュータを、
ユーザにより設計された、製造しようとする製品の形状を示す製品形状ＣＡＤデータを生成する製品形状ＣＡＤデータ生成手段、
ＣＡＤを利用して、前記製品形状を略反転させた、複数の金型部品形状の集合である金型形状を示すＣＡＤデータを生成する金型形状ＣＡＤデータ生成手段、
前記製品形状ＣＡＤデータ中に含まれる複数の所定データの各々と、当該複数の所定データの各々に対応する、前記複数の金型部品中の特定の金型部品中の所定データとを関連付けて記憶する所定データ関連付け記憶手段、
所定の測定装置に、前記金型形状ＣＡＤデータに基づいて製造された金型の形状のうち、所定の金型形状部分の形状を測定させる金型形状測定手段、
所定の測定装置に、前記製造された金型を用いて製造された製品の形状のうち、所定の製品形状部分の形状を測定させる製品形状測定手段、
前記金型形状ＣＡＤデータうち前記所定の金型形状部分に対応した部分のデータから前記金型形状測定手段を通じて測定された金型形状測定値を差し引いて第一の差分値を求め、前記製品形状測定手段を通じて測定された製品形状測定値から前記製品形状ＣＡＤデータのうち前記所定の製品形状部分に対応した部分のデータを差し引いて第二の差分値を求め、前記第一の差分値から前記第二の差分値を差し引いて第三の差分値を求め、当該第三の差分値を前記製品形状ＣＡＤデータに加えて当該製品形状ＣＡＤデータを補正する製品形状ＣＡＤデータ補正手段、
前記所定データ関連付け記憶手段を参照して、前記製品形状ＣＡＤデータ補正手段により補正された後の製品形状ＣＡＤデータのうち前記所定の製品形状部分に対応した部分のデータの所定データに対応した、前記複数の金型部品中の特定の金型部品中の所定データを算出する、金型形状ＣＡＤ所定データ算出手段、及び、
前記金型形状ＣＡＤ所定データ算出手段によって得られた、前記複数の金型部品ごとの金型形状ＣＡＤ所定データのプロフィールに基づいて、前記複数の金型部品の各々について前記所定の金型形状部分に対応した部分のデータを生成する修正金型形状ＣＡＤデータ生成手段、
として機能させることを特徴とするコンピュータプログラム。
【請求項１７】
前記所定データは、点データ、線データ、または面データである、
ことを特徴とする請求項１６記載のコンピュータプログラム。
【請求項１８】
前記所定の金型形状部分は、前記金型形状ＣＡＤデータに含まれる複数の点データ、線データ、または面データによって定義される、
ことを特徴とする請求項１５乃至１７のいずれか一項記載のコンピュータプログラム。
【請求項１９】
前記所定の製品形状部分は、前記製品形状ＣＡＤデータに含まれる複数の点データ、線データ、または面データによって定義される、
ことを特徴とする請求項１５乃至１８のいずれか一項記載のコンピュータプログラム。
【請求項２０】
前記コンピュータを前記製品形状ＣＡＤデータ生成手段として機能させるときに、当該コンピュータを、更に、
前記製品形状ＣＡＤデータに補正代を付加する補正代付加手段、
としても機能させることを特徴とする請求項１２乃至１９のいずれか一項記載のコンピュータプログラム。
【請求項２１】
前記コンピュータを前記製品形状ＣＡＤデータ生成手段として機能させるときに、当該コンピュータを、更に、
前記製品形状ＣＡＤデータに、金型に注入される樹脂の種類に応じた収縮率を付加する収縮率付加手段、
としても機能させることを特徴とする請求項１２乃至２０のいずれか一項記載のコンピュータプログラム。
【請求項２２】
コンピュータによって実行されたときに、当該コンピュータを、
トライ用製品の形状を示すトライ用製品ＣＡＤデータに基づいてＮＣ計算を行うＮＣ計算手段、及び、
請求項１２乃至２１のいずれか一項記載のコンピュータプログラムを利用して、前記製品形状ＣＡＤデータ補正手段により補正された後の製品形状ＣＡＤデータと、前記トライ用製品ＣＡＤデータとの差分に基づいて、当該補正された後の製品形状ＣＡＤデータに対応したＮＣ計算を行う修正ＮＣ計算手段、
として機能させることを特徴とするコンピュータプログラム。
【請求項２３】
請求項１２乃至２２のいずれか一項記載のコンピュータプログラムを記録したことを特徴とするコンピュータ読取可能記録媒体。
【手続補正２】
【補正対象書類名】明細書
【補正対象項目名】００１３
【補正方法】変更
【補正の内容】
【００１３】
上記目的を達成するための本発明の第一の態様は、ユーザにより設計された、製造しようとする製品の形状を示すＣＡＤデータを生成する製品形状ＣＡＤデータ生成手段と、ＣＡＤを利用して、上記製品形状を略反転させた金型形状を示すＣＡＤデータを生成する金型形状ＣＡＤデータ生成手段と、上記金型形状ＣＡＤデータに基づいて製造された金型の形状を測定する金型形状測定手段と、上記製造された金型を用いて製造された製品の形状を測定する製品形状測定手段と、上記金型形状ＣＡＤデータから上記金型形状測定手段により測定された金型形状測定値を差し引いて第一の差分値を求め、上記製品形状測定手段により測定された製品形状測定値から上記製品形状ＣＡＤデータを差し引いて第二の差分値を求め、上記第一の差分値から上記第二の差分値を差し引いて第三の差分値を求め、当該第三の差分値を上記製品形状ＣＡＤデータに加えて当該製品形状ＣＡＤデータを補正する製品形状ＣＡＤデータ補正手段と、上記製品形状ＣＡＤデータ補正手段により補正された後の製品形状ＣＡＤデータを反転させて、修正金型形状ＣＡＤデータを生成する修正金型形状ＣＡＤデータ生成手段とを備えた金型データ修正システムである。
上記第一の態様によれば、製品設計データ、金型設計データ、製品測定データ、及び金型測定データに基づいて、金型設計データを容易に修正することが可能となる。
上記目的を達成するための本発明の第二の態様は、ユーザにより設計された、製造しようとする製品の形状を示すＣＡＤデータを生成する製品形状ＣＡＤデータ生成手段と、ＣＡＤを利用して、上記製品形状を略反転させた、複数の金型部品形状の集合である金型形状を示すＣＡＤデータを生成する金型形状ＣＡＤデータ生成手段と、上記製品形状ＣＡＤデータ中に含まれる複数の所定データの各々と、当該複数の所定データの各々に対応する、上記複数の金型部品中の特定の金型部品中の所定データとを関連付けて記憶する所定データ関連付け記憶手段と、上記金型形状ＣＡＤデータに基づいて製造された金型の形状を測定する金型形状測定手段と、上記製造された金型を用いて製造された製品の形状を測定する製品形状測定手段と、上記金型形状ＣＡＤデータから上記金型形状測定手段により測定された金型形状測定値を差し引いて第一の差分値を求め、上記製品形状測定手段により測定された製品形状測定値から上記製品形状ＣＡＤデータを差し引いて第二の差分値を求め、上記第一の差分値から上記第二の差分値を差し引いて第三の差分値を求め、当該第三の差分値を上記製品形状ＣＡＤデータに加えて当該製品形状ＣＡＤデータを補正する製品形状ＣＡＤデータ補正手段と、上記所定データ関連付け記憶手段を参照して、上記製品形状ＣＡＤデータ補正手段により補正された後の製品形状ＣＡＤデータの所定データに対応した、上記複数の金型部品中の特定の金型部品中の所定データを算出する、金型形状ＣＡＤ所定データ算出手段と、上記金型形状ＣＡＤ所定データ算出手段によって得られた、上記複数の金型部品ごとの金型形状ＣＡＤ所定データのプロフィールに基づいて、上記複数の金型部品の各々について修正金型形状ＣＡＤデータを生成する修正金型形状ＣＡＤデータ生成手段とを備えた金型データ修正システムである。
上記第二の態様において、上記所定データは、例えば、点データ、線データ、または面データである。点データの代わりに、線データや面データを用いると、点データを用いる場合に比べて、使用するデータ量が少なくて済むため、計算速度の向上や、使用メモリ容量の削減を図ることができる。
上記第二の態様によれば、複数の金型部品によって金型が構成されている場合にも、各金型部品へ補正データを円滑に反映させることが可能となる。
【手続補正３】
【補正対象書類名】明細書
【補正対象項目名】００１４
【補正方法】変更
【補正の内容】
【００１４】
上記目的を達成するための本発明の第三の態様は、ユーザにより設計された、製造しようとする製品の形状を示す製品形状ＣＡＤデータを生成する製品形状ＣＡＤデータ生成手段と、ＣＡＤを利用して、上記製品形状を略反転させた金型形状を示すＣＡＤデータを生成する金型形状ＣＡＤデータ生成手段と、上記金型形状ＣＡＤデータに基づいて製造された金型の形状のうち、所定の金型形状部分の形状を測定する金型形状測定手段と、上記製造された金型を用いて製造された製品の形状のうち、所定の製品形状部分の形状を測定する製品形状測定手段と、上記金型形状ＣＡＤデータうち上記所定の金型形状部分に対応した部分のデータから上記金型形状測定手段により測定された金型形状測定値を差し引いて第一の差分値を求め、上記製品形状測定手段により測定された製品形状測定値から上記製品形状ＣＡＤデータのうち上記所定の製品形状部分に対応した部分のデータを差し引いて第二の差分値を求め、上記第一の差分値から上記第二の差分値を差し引いて第三の差分値を求め、当該第三の差分値を上記製品形状ＣＡＤデータに加えて当該製品形状ＣＡＤデータを補正する製品形状ＣＡＤデータ補正手段と、上記製品形状ＣＡＤデータ補正手段により補正された後の製品形状ＣＡＤデータのうち上記所定の製品形状部分に対応した部分のデータを反転させて、上記金型形状ＣＡＤデータのうち上記所定の金型形状部分に対応した部分のデータを生成する修正金型形状ＣＡＤデータ生成手段とを備えた金型データ修正システムである。
上記第三の態様によれば、重要なポイントのみに着目して補正することが可能となるため、より簡易な補正値演算を実現することができる。
上記目的を達成するための本発明の第四の態様は、ユーザにより設計された、製造しようとする製品の形状を示す製品形状ＣＡＤデータを生成する製品形状ＣＡＤデータ生成手段と、ＣＡＤを利用して、上記製品形状を略反転させた、複数の金型部品形状の集合である金型形状を示すＣＡＤデータを生成する金型形状ＣＡＤデータ生成手段と、上記製品形状ＣＡＤデータ中に含まれる複数の所定データの各々と、当該複数の所定データの各々に対応する、上記複数の金型部品中の特定の金型部品中の所定データとを関連付けて記憶する所定データ関連付け記憶手段と、上記金型形状ＣＡＤデータに基づいて製造された金型の形状のうち、所定の金型形状部分の形状を測定する金型形状測定手段と、上記製造された金型を用いて製造された製品の形状のうち、所定の製品形状部分の形状を測定する製品形状測定手段と、上記金型形状ＣＡＤデータうち上記所定の金型形状部分に対応した部分のデータから上記金型形状測定手段により測定された金型形状測定値を差し引いて第一の差分値を求め、上記製品形状測定手段により測定された製品形状測定値から上記製品形状ＣＡＤデータのうち上記所定の製品形状部分に対応した部分のデータを差し引いて第二の差分値を求め、上記第一の差分値から上記第二の差分値を差し引いて第三の差分値を求め、当該第三の差分値を上記製品形状ＣＡＤデータに加えて当該製品形状ＣＡＤデータを補正する製品形状ＣＡＤデータ補正手段と、上記所定データ関連付け記憶手段を参照して、上記製品形状ＣＡＤデータ補正手段により補正された後の製品形状ＣＡＤデータのうち上記所定の製品形状部分に対応した部分のデータの所定データに対応した、上記複数の金型部品中の特定の金型部品中の所定データを算出する、金型形状ＣＡＤ所定データ算出手段と、上記金型形状ＣＡＤ所定データ算出手段によって得られた、上記複数の金型部品ごとの金型形状ＣＡＤ所定データのプロフィールに基づいて、上記複数の金型部品の各々について上記所定の金型形状部分に対応した部分のデータを生成する修正金型形状ＣＡＤデータ生成手段とを備えた金型データ修正システムである。
上記第四の態様において、上記所定データは、例えば、点データ、線データ、または面データである。点データの代わりに、線データや面データを用いると、点データを用いる場合に比べて、使用するデータ量が少なくて済むため、計算速度の向上や、使用メモリ容量の削減を図ることができる。
上記第四の態様によれば、複数の金型部品によって金型が構成されている場合にも、各金型部品へ補正データを円滑に反映させることが可能になるとともに、重要なポイントのみに着目して補正することが可能となるため、より簡易な補正値演算を実現することができる。
【手続補正４】
【補正対象書類名】明細書
【補正対象項目名】００１５
【補正方法】変更
【補正の内容】
【００１５】
上記第三及び第四の態様において、上記所定の金型形状部分は、例えば、上記金型形状ＣＡＤデータに含まれる複数の点データ、線データ、または面データによって定義される。点データの代わりに、線データや面データを用いると、点データを用いる場合に比べて、使用するデータ量が少なくて済むため、計算速度の向上や、使用メモリ容量の削減を図ることができる。
上記第三及び第四の態様において、上記所定の製品形状部分は、例えば、上記製品形状ＣＡＤデータに含まれる複数の点データ、線データ、または面データによって定義される。点データの代わりに、線データや面データを用いると、点データを用いる場合に比べて、使用するデータ量が少なくて済むため、計算速度の向上や、使用メモリ容量の削減を図ることができる。
なお、上記第一乃至第四の態様において、上記製品形状ＣＡＤデータ生成手段は、上記製品形状ＣＡＤデータに補正代を付加する補正代付加手段を有することが好ましい。
また、上記第一乃至第四の態様において、上記製品形状ＣＡＤデータ生成手段は、上記製品形状ＣＡＤデータに、金型に注入される樹脂の種類に応じた収縮率を付加する収縮率付加手段を有することが好ましい。
【手続補正５】
【補正対象書類名】明細書
【補正対象項目名】００１６
【補正方法】変更
【補正の内容】
【００１６】
上記目的を達成するための本発明の第五の態様は、トライ用製品の形状を示すトライ用製品ＣＡＤデータに基づいてＮＣ計算を行うＮＣ計算手段と、上記第一乃至第四の態様のいずれか一態様に係る金型データ修正システムを利用して、上記製品形状ＣＡＤデータ補正手段により補正された後の製品形状ＣＡＤデータと、上記トライ用製品ＣＡＤデータとの差分に基づいて、当該補正された後の製品形状ＣＡＤデータに対応したＮＣ計算を行う修正ＮＣ計算手段とを備えたＮＣ計算システムである。
上記第一乃至第五の態様において、各形状データならびに上記所定データは、例えば、３次元座標で特定することができる。ここで、３次元座標とは、例えば、ＸＹＺ座標、球座標、あるいは、円筒座標などである。
【手続補正６】
【補正対象書類名】明細書
【補正対象項目名】００１７
【補正方法】変更
【補正の内容】
【００１７】
上記目的を達成するための第六の態様は、コンピュータによって実行されたときに、当該コンピュータを、ユーザにより設計された、製造しようとする製品の形状を示すＣＡＤデータを生成する製品形状ＣＡＤデータ生成手段、ＣＡＤを利用して、上記製品形状を略反転させた金型形状を示すＣＡＤデータを生成する金型形状ＣＡＤデータ生成手段、所定の測定装置に、上記金型形状ＣＡＤデータに基づいて製造された金型の形状を測定させる金型形状測定手段、所定の測定装置に、上記製造された金型を用いて製造された製品の形状を測定させる製品形状測定手段、上記金型形状ＣＡＤデータから上記金型形状測定手段を通じて測定された金型形状測定値を差し引いて第一の差分値を求め、上記製品形状測定手段を通じて測定された製品形状測定値から上記製品形状ＣＡＤデータを差し引いて第二の差分値を求め、上記第一の差分値から上記第二の差分値を差し引いて第三の差分値を求め、当該第三の差分値を上記製品形状ＣＡＤデータに加えて当該製品形状ＣＡＤデータを補正する製品形状ＣＡＤデータ補正手段、及び、上記製品形状ＣＡＤデータ補正手段により補正された後の製品形状ＣＡＤデータを反転させて、修正金型形状ＣＡＤデータを生成する修正金型形状ＣＡＤデータ生成手段、として機能させるコンピュータプログラムである。
上記第六の態様によれば、製品設計データ、金型設計データ、製品測定データ、及び金型測定データに基づいて、金型設計データを容易に修正することが可能となる。
上記目的を達成するための第七の態様は、コンピュータによって実行されたときに、当該コンピュータを、ユーザにより設計された、製造しようとする製品の形状を示すＣＡＤデータを生成する製品形状ＣＡＤデータ生成手段、ＣＡＤを利用して、上記製品形状を略反転させた、複数の金型部品形状の集合である金型形状を示すＣＡＤデータを生成する金型形状ＣＡＤデータ生成手段、上記製品形状ＣＡＤデータ中に含まれる複数の所定データの各々と、当該複数の所定データの各々に対応する、上記複数の金型部品中の特定の金型部品中の所定データとを関連付けて記憶する所定データ関連付け記憶手段、所定の測定装置に、上記金型形状ＣＡＤデータに基づいて製造された金型の形状を測定させる金型形状測定手段、所定の測定装置に、上記製造された金型を用いて製造された製品の形状を測定させる製品形状測定手段、上記金型形状ＣＡＤデータから上記金型形状測定手段を通じて測定された金型形状測定値を差し引いて第一の差分値を求め、上記製品形状測定手段を通じて測定された製品形状測定値から上記製品形状ＣＡＤデータを差し引いて第二の差分値を求め、上記第一の差分値から上記第二の差分値を差し引いて第三の差分値を求め、当該第三の差分値を上記製品形状ＣＡＤデータに加えて当該製品形状ＣＡＤデータを補正する製品形状ＣＡＤデータ補正手段、上記所定データ関連付け記憶手段を参照して、上記製品形状ＣＡＤデータ補正手段により補正された後の製品形状ＣＡＤデータの所定データに対応した、上記複数の金型部品中の特定の金型部品中の所定データを算出する、金型形状ＣＡＤ所定データ算出手段、及び、上記金型形状ＣＡＤ所定データ算出手段によって得られた、上記複数の金型部品ごとの金型形状ＣＡＤ所定データのプロフィールに基づいて、上記複数の金型部品の各々について修正金型形状ＣＡＤデータを生成する修正金型形状ＣＡＤデータ生成手段、として機能させるコンピュータプログラムである。
上記第七の態様において、上記所定データは、例えば、点データ、線データ、または面データである。点データの代わりに、線データや面データを用いると、点データを用いる場合に比べて、使用するデータ量が少なくて済むため、計算速度の向上や、使用メモリ容量の削減を図ることができる。
上記第八の態様によれば、複数の金型部品によって金型が構成されている場合にも、各金型部品へ補正データを円滑に反映させることが可能となる。
上記目的を達成するための第八の態様は、コンピュータによって実行されたときに、当該コンピュータを、ユーザにより設計された、製造しようとする製品の形状を示す製品形状ＣＡＤデータを生成する製品形状ＣＡＤデータ生成手段、ＣＡＤを利用して、上記製品形状を略反転させた金型形状を示すＣＡＤデータを生成する金型形状ＣＡＤデータ生成手段、所定の測定装置に、上記金型形状ＣＡＤデータに基づいて製造された金型の形状のうち、所定の金型形状部分の形状を測定させる金型形状測定手段、所定の測定装置に、上記製造された金型を用いて製造された製品の形状のうち、所定の製品形状部分の形状を測定させる製品形状測定手段、上記金型形状ＣＡＤデータうち上記所定の金型形状部分に対応した部分のデータから上記金型形状測定手段を通じて測定された金型形状測定値を差し引いて第一の差分値を求め、上記製品形状測定手段を通じて測定された製品形状測定値から上記製品形状ＣＡＤデータのうち上記所定の製品形状部分に対応した部分のデータを差し引いて第二の差分値を求め、上記第一の差分値から上記第二の差分値を差し引いて第三の差分値を求め、当該第三の差分値を上記製品形状ＣＡＤデータに加えて当該製品形状ＣＡＤデータを補正する製品形状ＣＡＤデータ補正手段、及び、上記製品形状ＣＡＤデータ補正手段により補正された後の製品形状ＣＡＤデータのうち上記所定の製品形状部分に対応した部分のデータを反転させて、上記金型形状ＣＡＤデータのうち上記所定の金型形状部分に対応した部分のデータを生成する修正金型形状ＣＡＤデータ生成手段、として機能させるコンピュータプログラムである。
上記第八の態様によれば、重要なポイントのみに着目して補正することが可能となるため、より簡易な補正値演算を実現することができる。
上記目的を達成するための第九の態様は、コンピュータによって実行されたときに、当該コンピュータを、ユーザにより設計された、製造しようとする製品の形状を示す製品形状ＣＡＤデータを生成する製品形状ＣＡＤデータ生成手段、ＣＡＤを利用して、上記製品形状を略反転させた、複数の金型部品形状の集合である金型形状を示すＣＡＤデータを生成する金型形状ＣＡＤデータ生成手段、上記製品形状ＣＡＤデータ中に含まれる複数の所定データの各々と、当該複数の所定データの各々に対応する、上記複数の金型部品中の特定の金型部品中の所定データとを関連付けて記憶する所定データ関連付け記憶手段、所定の測定装置に、上記金型形状ＣＡＤデータに基づいて製造された金型の形状のうち、所定の金型形状部分の形状を測定させる金型形状測定手段、所定の測定装置に、上記製造された金型を用いて製造された製品の形状のうち、所定の製品形状部分の形状を測定させる製品形状測定手段、上記金型形状ＣＡＤデータうち上記所定の金型形状部分に対応した部分のデータから上記金型形状測定手段を通じて測定された金型形状測定値を差し引いて第一の差分値を求め、上記製品形状測定手段を通じて測定された製品形状測定値から上記製品形状ＣＡＤデータのうち上記所定の製品形状部分に対応した部分のデータを差し引いて第二の差分値を求め、上記第一の差分値から上記第二の差分値を差し引いて第三の差分値を求め、当該第三の差分値を上記製品形状ＣＡＤデータに加えて当該製品形状ＣＡＤデータを補正する製品形状ＣＡＤデータ補正手段、上記所定データ関連付け記憶手段を参照して、上記製品形状ＣＡＤデータ補正手段により補正された後の製品形状ＣＡＤデータのうち上記所定の製品形状部分に対応した部分のデータの所定データに対応した、上記複数の金型部品中の特定の金型部品中の所定データを算出する、金型形状ＣＡＤ所定データ算出手段、及び、上記金型形状ＣＡＤ所定データ算出手段によって得られた、上記複数の金型部品ごとの金型形状ＣＡＤ所定データのプロフィールに基づいて、上記複数の金型部品の各々について上記所定の金型形状部分に対応した部分のデータを生成する修正金型形状ＣＡＤデータ生成手段、として機能させるコンピュータプログラムである。
上記第九の態様において、上記所定データは、例えば、点データ、線データ、または面データである。点データの代わりに、線データや面データを用いると、点データを用いる場合に比べて、使用するデータ量が少なくて済むため、計算速度の向上や、使用メモリ容量の削減を図ることができる。
上記第九の態様によれば、複数の金型部品によって金型が構成されている場合にも、各金型部品へ補正データを円滑に反映させることが可能になるとともに、重要なポイントのみに着目して補正することが可能となるため、より簡易な補正値演算を実現することができる。
【手続補正７】
【補正対象書類名】明細書
【補正対象項目名】００１８
【補正方法】変更
【補正の内容】
【００１８】
上記第八及び第九の態様において、上記所定の金型形状部分は、例えば、上記金型形状ＣＡＤデータに含まれる複数の点データ、線データ、または面データによって定義される。点データの代わりに、線データや面データを用いると、点データを用いる場合に比べて、使用するデータ量が少なくて済むため、計算速度の向上や、使用メモリ容量の削減を図ることができる。
上記第八及び第九の態様において、上記所定の製品形状部分は、例えば、上記製品形状ＣＡＤデータに含まれる複数の点データ、線データ、または面データによって定義される。点データの代わりに、線データや面データを用いると、点データを用いる場合に比べて、使用するデータ量が少なくて済むため、計算速度の向上や、使用メモリ容量の削減を図ることができる。
上記第六乃至第九の態様に係るコンピュータプログラムは、上記コンピュータを上記製品形状ＣＡＤデータ生成手段として機能させるときに、当該コンピュータを、更に、上記製品形状ＣＡＤデータに補正代を付加する補正代付加手段としても機能させることが好ましい。
上記第六乃至第九の態様に係るコンピュータプログラムは、上記コンピュータを上記製品形状ＣＡＤデータ生成手段として機能させるときに、当該コンピュータを、更に、上記製品形状ＣＡＤデータに、金型に注入される樹脂の種類に応じた収縮率を付加する収縮率付加手段としても機能させることが好ましい。
【手続補正８】
【補正対象書類名】明細書
【補正対象項目名】００１９
【補正方法】変更
【補正の内容】
【００１９】
上記目的を達成するための本発明の第十の態様は、コンピュータによって実行されたときに、当該コンピュータを、トライ用製品の形状を示すトライ用製品ＣＡＤデータに基づいてＮＣ計算を行うＮＣ計算手段、及び、上記第六乃至第九のいずれか一態様に係るコンピュータプログラムを利用して、上記製品形状ＣＡＤデータ補正手段により補正された後の製品形状ＣＡＤデータと、上記トライ用製品ＣＡＤデータとの差分に基づいて、当該補正された後の製品形状ＣＡＤデータに対応したＮＣ計算を行う修正ＮＣ計算手段、として機能させるコンピュータプログラムである。
上記第六乃至第十の態様において、各形状データならびに上記所定データは、例えば、３次元座標で特定することができる。ここで、３次元座標とは、例えば、ＸＹＺ座標、球座標、あるいは、円筒座標などである。
【手続補正９】
【補正対象書類名】明細書
【補正対象項目名】００２０
【補正方法】変更
【補正の内容】
【００２０】
上記目的を達成するための本発明の第十一の態様は、上記第六乃至第十のいずれか一態様に係るコンピュータプログラムを記録したコンピュータ読取可能記録媒体である。